(57)【要約】【課題】部品点数を増やすことなく平型コードの抜けを防止できる平型コードの抜け防止構造を提供する。【解決手段】）平型コード(2a)を第１の曲率を有して第１の向(D1)きから第２の向き(D2)となるように所定角度曲げるとともに平型コード(2a)の内周面(MH1a)の少なくとも一部をガイドする第１のガイド部(G1)と、第１のガイド部(G1)で曲げられた平型コード(2a)を第２の曲率を有して第２の向き(D2)から第２の向き(D2)に対して概ね反転した第３の向き(D3)となるように曲げるとともに平型コード(2a)の内周面(MH2b)の少なくとも一部をガイドする第２のガイド部(G2)とを有する。第１の曲率より第２の曲率のほうが大きい曲率であって、各内周面(MH1a)(MH2b)は、平型コード(2a)の横断面形状における長手方向の面となっている。【選択図】図６
2014093709.tif 000002
【特許請求の範囲】
【請求項１】
平型コードを第１の曲率を有して第１の向きから第２の向きとなるように所定角度曲げるとともに前記平型コードの内周面の少なくとも一部をガイドする第１のガイド部と、
前記第１のガイド部で曲げられた平型コードを第２の曲率を有して前記第２の向きから前記第２の向きに対して概ね反転した第３の向きとなるように曲げるとともに前記平型コードの内周面の少なくとも一部をガイドする第２のガイド部とを有し、
前記第１の曲率より前記第２の曲率のほうが大きい曲率であって、
各前記内周面は、前記平型コードの横断面形状における長手方向の面であることを特徴とする平型コードの抜け防止構造。
【請求項２】
前記所定角度は、１８０°以上であることを特徴とする請求項１記載の平型コードの抜け防止構造。
【請求項３】
前記第１のガイド部、前記第２のガイド部は、それぞれ前記平型コードの内周面を支持することを特徴とする請求項１または２記載の平型コードの抜け防止構造。
【請求項４】
平型コードと、
前記平型コードが挿入される挿入孔を有し、前記平型コードを収納する本体部と、
前記平型コードの一端部が接続される入力端子を有するスピーカユニットと、
を備え、
前記本体部は、
前記平型コードを第１の向きから第２の向きとなるように第１の曲率を有して所定角度曲げるとともに前記平型コードの内周面の少なくとも一部をガイドする第１のガイド部と、
前記第１のガイド部で曲げられた平型コードを前記第２の向きから前記第２の向きに対して概ね反転した第３の向きとなるよう第２の曲率を有して曲げるとともに前記平型コードの内周面の少なくとも一部をガイドする第２のガイド部とを有し、
前記第１の曲率よりも前記第２の曲率のほうが大きい曲率であって、
各前記内周面は、前記平型コードの横断面形状における長手方向の面であることを特徴とするヘッドホン。
【請求項５】
前記所定角度は、１８０°以上であることを特徴とする請求項４記載のヘッドホン。
【請求項６】
前記第１のガイド部、前記第２のガイド部は、それぞれ、前記平型コードの内周面を支持することを特徴とする請求項４または５記載のヘッドホン。
【請求項７】
前記本体部は、
前記平型コードが前記本体部に収納された際に前記平型コードの外周面のすくなくとも一部をガイドする第３のガイド部を有することを特徴とする請求項４〜６のいずれか１項に記載のヘッドホン。
【発明の詳細な説明】
【技術分野】
【０００１】
本発明は、平型コードの抜け防止構造及びヘッドホンに係る。
【背景技術】
【０００２】
ヘッドホンの本体部から外部機器に接続するために延出されるコードとして、断面形状が円形の丸型コード又は扁平の平型コードが用いられるのが一般的である。
【０００３】
丸型コードは、ヘッドホンにおいて多用されている。また、ヘッドホンの筐体内部に、丸型コードを結んでコードの外径よりも大径となる結び玉を形成し、その結び玉が、コードを引き出すために筐体に設けられたコード孔を通過できないようにして、丸型コードの抜け防止構造とすることが一般的である。例えば、特許文献1には、抜け防止のために形成されたコードの結び玉が開示されている。
【０００４】
一方、平型コードは、コードを含むヘッドホンの全体意匠として、丸型コードよりもデザイン性を主張できることから、近年、注目され利用され始めている。
【先行技術文献】
【特許文献】
【０００５】
【特許文献１】特開２００９−１６５１５５号公報
【発明の概要】
【発明が解決しようとする課題】
【０００６】
ところで、平型コードは、丸型コードの場合と同様にコード自体を結んで結び玉を形成しヘッドホンの筐体からコードが抜けることを防止しようとしても、丸型コードの結び玉のような強固な結び玉を形成し難い。
そこで、平型コードにおいては、一般に、コードにかしめリングを取り付け、筐体のコード孔を通過できない大径部を筐体内部に形成するという周知の抜け止め構造が採用される。
しかしながら、この構造は、かしめリングという専用部品が必要となるため、コストダウンや部品管理の簡略化の観点から、部品点数を増やすことなくコードの抜け止めができる構造が望まれていた。
【０００７】
そこで、本発明が解決しようとする課題は、部品点数を増やすことなく平型コードの抜けを防止できる平型コードの抜け防止構造及びヘッドホンを提供することにある。
【課題を解決するための手段】
【０００８】
上記の課題を解決するために、本発明は次の１）及び２）のいずれかの構成を有する。
１）  平型コード(2a)を第１の曲率を有して第１の向(D1)きから第２の向き(D2)となるように所定角度曲げるとともに前記平型コード(2a)の内周面(MH1a)の少なくとも一部をガイドする第１のガイド部(G1)と、
前記第１のガイド部(G1)で曲げられた平型コード(2a)を第２の曲率を有して前記第２の向き(D2)から前記第２の向き(D2)に対して概ね反転した第３の向き(D3)となるように曲げるとともに前記平型コード(2a)の内周面(MH2b)の少なくとも一部をガイドする第２のガイド部(G2)とを有し、
前記第１の曲率より前記第２の曲率のほうが大きい曲率であって、
各前記内周面(MH1a)(MH2b)は、前記平型コード(2a)の横断面形状における長手方向の面であることを特徴とする平型コードの抜け防止構造(SK1)である。
２）  平型コード(2a)と、
前記平型コード(2a)が挿入される挿入孔(5b1)を有し、前記平型コード(2a)を収納する本体部(1)と、
前記平型コード(2a)の一端部が接続される入力端子(8c)を有するスピーカユニット(8)と、
を備え、
前記本体部(1)は、
前記平型コード(2a)を第１の向き(D1)から第２の向き(D2)となるように第１の曲率を有して所定角度曲げるとともに前記平型コード(2a)の内周面(MH1a)の少なくとも一部をガイドする第１のガイド部(G1)と、
前記第１のガイド部(G1)で曲げられた平型コード(2a)を前記第２の向き(D2)から前記第２の向き(D2)に対して概ね反転した第３の向き(D3)となるよう第２の曲率を有して曲げるとともに前記平型コード(2a)の内周面(MH2b)の少なくとも一部をガイドする第２のガイド部(G2)とを有し、
前記第１の曲率よりも前記第２の曲率のほうが大きい曲率であって、
各前記内周面(MH1a)(MH2b)は、前記平型コード(2a)の横断面形状における長手方向の面であることを特徴とするヘッドホン(51)である。
【発明の効果】
【０００９】
本発明によれば、部品点数を増やすことなく平型コードの抜けを防止できる、という効果が得られる。
【図面の簡単な説明】
【００１０】
【図１】本発明の実施の形態に係るヘッドホンの実施例であるヘッドホン５１を示す斜視図である。
【図２】ヘッドホン５１の斜視的分解図である。
【図３】図２の一部を逆方向から見た斜視的分解図である。
【図４】ヘッドホン５１の縦断面図である。
【図５】ヘッドホン５１におけるコード保持体ＣＨを示す斜視図である。
【図６】コード保持体ＣＨにコード２ａを保持収容させた状態を示す平面図である。
【図７】コード２ａの保持収容状態を説明するための模式的平面図である。
【図８】コード２ａの保持収容状態を説明するための部分断面図である。
【図９】本発明の実施の形態に係る平型コードの抜け防止構造の実施例であるコード保持構造ＳＫ１を説明するための模式的平面図である。
【図１０】コード保持構造ＳＫ１の変形例を説明するための模式的平面図である。
【図１１】コード保持構造ＳＫ１の他の変形例を説明するための部分斜視図である。
【発明を実施するための形態】
【００１１】
本発明の実施の形態におけるヘッドホンを、好ましい実施例及び変形例により図１〜図１１を参照して説明する。
実施例はヘッドホン５１であり、その構成について、図１〜図４を主に参照して説明する。
【００１２】
図１〜図４に示されるヘッドホン５１は左耳装着用である。右耳装着用は、この左耳装着用のものを左右対称形状としたものであり、以下の説明では、左耳装着用のものを代表として説明する。
また、以下の説明における上下左右前後の各方向は、ヘッドホン５１を左耳に装着した状態における頭部の上下左右前後方向に対応した方向である。例えば右方向は、頭部へ向かう方向である。
【００１３】
図１（ａ）は、ヘッドホン５１を左耳に装着した姿勢における左方のやや斜め前上方から見た斜視図である。図１（ｂ）は、後方のやや左方から見た斜視図である。
図２は、ヘッドホン５１を一方向から斜視的に見た分解図であり、図３は、図２における一部を一方向とは逆の方向から見た斜視的部分分解図である。
図４は、図１における上下左右平面での縦断面図である。
【００１４】
ヘッドホン５１は、本体部１と、本体部１から延出するコード体２と、を有している。
本体部１は、四つの筐体部材で構成される筐体ＫＴを有して構成されている。四つの筐体部材は、右ハウジング３，左ハウジング４，オーナメント５，及びカバー６である。左ハウジング４は、内部に収められているので外部からは視認されない。
これらの筐体部材３〜６は、例えば、熱可塑性樹脂又は金属で形成されている。熱可塑性樹脂の例は、ＡＢＳ（アクリロニトリル・ブタジエン・スチレン）やＰＣ（ポリカーボネート）などである。金属の例は、アルミニウム，ステンレス，真鍮などである。
以下、各筐体部材について詳述する。
【００１５】
右ハウジング３は、左方側を開放端とする略カップ状に形成され、カップ状の底部に相当する部位から右やや前下方に延出する筒状の音筒部３ａを有している。
音筒部３ａの外周面には、着脱自在にイヤピース７が取り付けられる。イヤピース７は柔軟性を有する材料で形成されている。材料例はシリコーンゴムである。
【００１６】
右ハウジング３の内面には、スピーカユニット８が接着等により固定されている。スピーカユニット８は、内部に振動板８ａを、また、背面８ｂに入力端子としての端子部８ｃを有している。
スピーカユニット８は、ヘッドホン５１の外部からコード体２を介し端子部８ｃに供給された音声信号を振動板８ａの機械振動に変換し、放音面８ｄから音声として出力する。出力された音声は、音筒部３ａの貫通孔を通しその先端から外部に放出される。音筒部３ａの貫通孔には、音質調整用のフィルタ９が取り付けられている。
この例において、スピーカユニット８は、その駆動軸線ＣＬ１が右ハウジング３，左ハウジング４，オーナメント５の中心軸線と一致するように配設されている。駆動軸線ＣＬ１及び各部材の中心軸線は必ずしも互いに一致していなくてもよい。
【００１７】
コード体２は、横断面形状が概ね矩形扁平なる平型二芯のコード２ａと、コード２ａの一端から他端側へ所定距離離隔した位置に一体成形で設けられたブッシング２ｂと、を有している。コード２ａの他端側には、例えば外部機器に接続するためのプラグ（図示せず）が一体的に設けられている。以下、平型のコード２ａにおける長手の幅を長手幅Ｗ１と称し、短手の幅（厚さ）を短手幅Ｗ２と称する（図３参照）。
ヘッドホン５１の外観として、コード２ａは、左右方向が横断面形状の長手、前後方向が短手、となる姿勢で設けられている。
図２及び図３において、コード２ａにおけるブッシング２ｂから先端側は、組み立て後の曲げられた状態で記載されている。
【００１８】
ブッシング２ｂは、コード２ａの横断面形状に対し相似的に拡大した矩形扁平の横断面形状を呈し、ヘッドホン５１の使用時におけるコード２ａの引き回しに柔軟に追従できる材料で形成されている。材料例として、熱可塑性エラストマ、ポリ塩化ビニル（ＰＶＣ）などがある。
ブッシング２ｂは、可視外観となる基部２ｂ１と、基部２ｂ１から、基部２ｂ１より小さな断面形状でコード２ａと一体的に先端に向け延出する係合部２ｂ２と、を有している。係合部２ｂ２は、オーナメント５のブッシング保持部５ｂにおける貫通孔５ｂ１（詳細は後述）に嵌合装着される部位である。
コード２ａの一端側は、ヘッドホン５１の組み立て前に、予めスピーカユニット８の端子部８ｃに接続するために被覆が剥かれて芯線及びリードが露出してなる接続部２ａ１とされている。
【００１９】
左ハウジング４は、底部４ａと、その周縁部から立ち上がる周壁部４ｈと、を有して概ね丸鍋状に形成されている。底部４ａには、複数のリブからなるリブ群４ｂが周壁部４ｈと同じ方向に立設されている。この例におけるリブ群４ｂは、所定の形状，高さ，及び配置で形成された五つのリブ４ｂ１〜４ｂ５である。
リブ４ｂ５は、コード２ａを挿入後の固定に溶剤溶着を行う場合に、溶剤（ボンド）の溜まりをつくるために設けられている。
左ハウジング４の外周面４ｃには、軸線方向に延在し、その中間位置で周方向にずれて段部４ｄ１を有するよう階段状に抉られた係合凹部４ｄが、約１８０°離れて対向した位置に一対設けられている。
周壁部４ｈには、一箇所、切り欠かれた窓部４ｈ２が形成されている。窓部４ｈ２の形成位置は、後述するオーナメント５の貫通孔５ｂ１の位置と対応している。
【００２０】
オーナメント５は、所定径なる輪状の基部５ａと、基部５ａから概ねその接線方向に突出した角筒状のブッシング保持部５ｂと、を有している。角筒状のブッシング保持部５ｂは、矩形の貫通孔５ｂ１を有している。
ブッシング保持部５ｂの貫通孔５ｂ１には、ブッシング２ｂの係合部２ｂ２が微小クリアランスを介して挿着可能となっている。
貫通孔５ｂ１に係合部２ｂ２が挿着された状態で、ブッシング２ｂの基部２ｂ１の外面と、ブッシング保持部５ｂの外面と、は、外観上連続して見える面を構成するように形成されている。すなわち、ヘッドホン５１の外観形状として、ブッシング２ｂの基部２ｂ１とブッシング保持部５ｂとは連続しており、視覚的に流れるような一体感を使用者は感じ取とることができる。
【００２１】
オーナメント５の内周面５ｃには、軸線方向に離隔すると共に中心に向け突出した一対の凸部５ｄ１，５ｄ２からなる係合凸部５ｄが、係合凹部４ｄと対応する周方向位置に二箇所設けられている。
オーナメント５の内径は、左ハウジング４の外径より僅かに大きく形成されているので、左ハウジング４は、オーナメント５の内側に挿着可能となっている。
その挿着の際に、係合凹部４ｄと係合凸部５ｄとを、矢印（１）、（２）の挿着作業にていわゆるバヨネット的に係合させることで、左ハウジング４はオーナメント５に挿着保持されるようになっている。
この挿着保持された状態が、図５に斜視図で示されている。
【００２２】
図５は、左ハウジング４をオーナメント５に挿着した状態を、図３の概ね右方側から見た斜視図である。この左ハウジング４とオーナメント５とを組み合わせたものを、以下、コード保持体ＣＨと称する。
バヨネット的係合により、左ハウジング４の周壁部４ｈにおける係合凹部４ｄの段部４ｄ１に対応する右方側の部位４ｈ１が、係合凸部５ｄの凸部５ｄ１と凸部５ｄ２との間に挟み込まれるので、左ハウジング４はオーナメント５と一体化され、コード保持体ＣＨが構成される。
【００２３】
カバー６は、オーナメント５と左ハウジング４との間に挟まれるように保持される意匠部材である。
カバー６は、例えば、光透過性を有する熱可塑性樹脂材料（例えばアクリル樹脂）で形成され、左ハウジング４の底部４ａの外側面４ａ１を、その樹脂色をもって外部から使用者が視認できるようになっている。
また、この例では、左ハウジング４の外側面４ａ１には、小さな曲率で（緩やかな曲面で）抉られた凹部４ａ１ａが形成されている。
従って、外部からカバー６を通して凹部４ａ１ａに照射された光の反射光は、再びカバー６を通過して外部に出光し、その出光した光は、左ハウジング４の樹脂色と凹部４ａ１ａの曲率とに基づいた微妙なグラデーションをもって使用者に美観を想起させるよう視認される。このように、カバー６は、ヘッドホン５１のデザイン状のアクセントとなる。
【００２４】
次に、ヘッドホン５１の組み立てにおける、コード２ａのブッシング２ｂよりも先端側の処理について、図２，図３，及び図６を主に参照して説明する。
図６は、コード保持体ＣＨに、コード体２を組み付けた状態を示す平面図である。
まず、ヘッドホン５１の組み立て方法例について、図２及び図３を参照して説明する。
【００２５】
ヘッドホン５１の組み立ては、次の五つの工程を経て行われる。
（工程１）右ハウジング３に、スピーカユニット８を接着により取り付ける。右ハウジング３には予めフィルタ９を接着により取り付けておく。
（工程２）オーナメント５内にカバー６を嵌め込み、さらに左ハウジング４を組み付けてコード保持体ＣＨを形成する。
（工程３）コード体２のコード２ａの先端（＊）を、コード保持体ＣＨにおけるブッシング保持部５ｂの貫通孔５ｂ１に外側から挿入し内側に引き出しておく。
そして、ブッシング２ｂの係合部２ｂ２を貫通孔５ｂ１に嵌合挿着する。両者の強固な一体化のため接着剤を併用してもよい。
（工程４）コード保持体ＣＨにおける左ハウジング４のリブ群４ｂに対し、後述する引き回しでコード２ａを嵌め込み、収容させる。
（工程５）接続部２ａ１を起こし、その露出させたリードを、右ハウジング３に固定したスピーカユニット８の端子部８ｃに半田によって接続すると共に、右ハウジング３と左ハウジング４及びオーナメント５とを接着等により固定する。
【００２６】
次に、コード保持体ＣＨにおけるコード２ａの保持収容態様について説明する。
図６において、オーナメント５におけるブッシング保持部５ｂの中心軸線ＣＬ２と平行かつ左ハウジング４の中心軸線ＣＬ１（紙面直交）と交わる線をＹ軸とし、Ｙ軸及び中心軸線ＣＬ１と直交する線をＸ軸として設定する。Ｘ軸とＹ軸との交点を原点Ｃとする。
【００２７】
左ハウジング４の周壁部４ｈの内周面４ｈ３は、原点Ｃを中心とする半径Ｒ１の円周面で形成されている。
リブ群４ｂの内の、三つのリブ４ｂ２〜４ｂ４は、外周面が、概ね、原点Ｃを中心とする半径Ｒ２の円周面となる弧状リブとして形成されている。
半径Ｒ１と半径Ｒ２との差（Ｒ１−Ｒ２）は、コード２ａの長手幅Ｗ１よりも小さく、かつ短手幅Ｗ２よりも大きく設定されている。
すなわち、Ｗ２＜（Ｒ１−Ｒ２）＜Ｗ１  である。
この設定により、周壁部４ｈとリブ４ｂ２〜４ｂ４との間に、コード２ａを、径方向を短手方向とする姿勢で曲げながら弧状に収めることができる。
【００２８】
また、三つのリブ４ｂ２〜４ｂ４において、リブ４ｂ２の図６における周方向左回り端の位置Ｐ１と、リブ４ｂ４の図６における周方向右回り端の位置Ｐ２と、の間の角度範囲θ１が、所定の角度θｓ１以上となるように設けられている。
この例で、所定の角度θｓ１は１８０°であり、角度範囲θ１は約２２５°に設定されている。
コード２ａの内、この角度範囲θ１の領域において周壁部４ｈとリブ４ｂ２〜４ｂ４との間に収められた部位を、大径収容部２ａＡと称する。
【００２９】
リブ群４ｂの内のリブ４ｂ１は、原点Ｃ回りの角度範囲θ１の領域内に形成されている。また、リブ４ｂ１は、外周面が、概ね、原点Ｃを中心とする半径Ｒ３の円周面となる弧状リブとして形成されている。
半径Ｒ２と半径Ｒ３との差（Ｒ２−Ｒ３）は、コード２ａの長手幅Ｗ１よりも小さく、かつ短手幅Ｗ２よりも大きく設定されている。
すなわち、Ｗ２＜（Ｒ２−Ｒ３）＜Ｗ１  である。
この設定により、リブ４ｂ２〜４ｂ４とリブ４ｂ１との間に、コード２ａを、径方向を短手方向とする姿勢で曲げながら弧状に収めることができる。
【００３０】
リブ４ｂ１において、その図６における周方向左回り端の位置Ｐ３と、周方向右回り端の位置Ｐ４と、の間の角度範囲θ２は約１１０°に設定されている。
リブ４ｂ１において角度範囲θ２を規定する最小の角度範囲は設定されない。従って、リブ４ｂ１は、リブ状ではなく例えば一つの柱状の突起であってもよい。
コード２ａの内、リブ４ｂ１とリブ４ｂ２〜４ｂ４との間の角度範囲θ２に収められた部位を、小径収容部２ａＢと称する。
【００３１】
コード２ａは、コード保持体ＣＨに対し、上述の大径収容部２ａＡ及び小径収容部２ａＢを含めた以下に説明する部位（イ）〜（ホ）を有する態様で収容される。説明において図５〜図７を参照する。図７は、コード２ａの収容態様を模式的に示した図であり、部位の表示は、白ヌキとハッチング付きとを交互にして判別を容易にしてある。
【００３２】
（イ）〜（ホ）の各部位をブッシング２ｂ側から説明すると、延出部２ａＣ，大径収容部２ａＡ，反転部２ａＤ，小径収容部２ａＢ，及び終端部２ａＥである。
具体的には、次の通りである。
（イ）延出部２ａＣ：オーナメント５の基部５ａに嵌着されたブッシング２ｂの係合部２ｂ２の端部を示す位置Ｐ６から延在方向ＤＲ１に自由状態で延出してリブ４ｂ２に当接する位置Ｐ１までの部位である。
（ロ）大径収容部２ａＡ：延出部２ａＣに接続した位置Ｐ１から周壁部４ｈとリブ４ｂ２〜４ｂ４との間で位置Ｐ２までの範囲に収容された部位である。
（ハ）反転部２ａＤ：位置Ｐ２で大径収容部２ａＡに接続しリブ４ｂ４の周方向右回り端を回り込むようにして延在方向を反転させ（図７における矢印ＤＲ２から矢印ＤＲ３へ反転）、位置Ｐ４で小径収容部２ａＢに接続する部位である。
（ニ）小径収容部２ａＢ：位置Ｐ４で反転部２ａＤに接続しリブ４ｂ１と少なくともリブ４ｂ３との間の位置Ｐ３までの範囲に収容された部位である。
（ホ）終端部２ａＥ：小径収容部２ａＢに接続した位置Ｐ３から被覆先端の位置Ｐ５までの部位である。
【００３３】
位置Ｐ５は、コード２ａの被覆を有する部分の末端における短手中央の位置として規定する。コード２ａの被覆末端から先は、上述のように一対の芯線及びリードが露出した接続部２ａ１である。
接続部２ａ１は、図６において平面状で描画されているが、組み立ての際には、図６の紙面手前側に立ち上げると共に、各リードを、スピーカユニット８の背面８ｂとの間の空間Ｖ１（図４参照）を利用してスピーカユニット８の端子部８ｃに接続する（この接続状態は図４では不図示）。
【００３４】
次に、図６及び図７を参照して、コード保持体ＣＨ内でのコード２ａの延在方向を、位置毎にその接線方向と規定してブッシング２ｂ側から説明する。また、コード２ａのブッシング２ｂ側から先端の位置Ｐ５に向かう向きを、矢印を用い括弧書きで併せて説明する。
【００３５】
まず、ブッシング２ｂの端部である位置Ｐ６において延在方向はＤＲ１（向き：矢印Ｄ１）となっている。
大径収容部２ａＡにおいてこの延在方向が時計回りに変化し、大径収容部２ａＡの中間位置Ｐ１２において約９０°変化したＤＲ１２方向（向き：矢印Ｄ１２）となり、さらに位置Ｐ２で位置Ｐ６の延在方向に対して１８０°以上の約２２５°変化したＤＲ２方向（向き：矢印Ｄ２）となる。
【００３６】
次の反転部２ａＤにおいて延在方向は継続して時計回りで急激に変化し、位置Ｐ４において位置Ｐ２の延在方向に対して約１８０°変化したＤＲ３方向（向き：矢印Ｄ３）となる。
反転部２ａＤにおけるコード２ａの急激な曲げは、コード２ａを、リブ４ｂ４を巻き込むようリブ４ｂ４の外側面及び内側面に沿って反転させて収めるように設けたリブ４ｂ１によって実現している。
【００３７】
次の小径収容部２ａＢにおいて延在方向は、今度は反時計回り方向に変化し、位置Ｐ３において位置Ｐ４の延在方向に対して約１１０°変化したＤＲ４方向（向き：矢印Ｄ４）となる。
【００３８】
コード２ａは、コード保持体ＣＨに上述の曲がり具合（収容態様）で収容されている。
このコード２ａの収容態様において、コード２ａが抜去方向に力Ｆ（図６及び図７の白ヌキ矢印参照）で引っ張られると、コード２ａは、その向きが大径収容部２ａＡを経て反転し、次いで反転部２ａＤにおいてリブ４ｂ４を挟むようにさらに急反転して終端部２ａＥに至るようになっていることから、リブ４ｂ４の位置Ｐ２となる端部にコード２ａが食い込んでコード２ａのずれが防止される。
【００３９】
また、その食い込みに加え、コード２ａはリブ４ｂ２〜４ｂ４に対し、それらの外周面には大径収容部２ａＡが接触し、内周面には反転部２ａＤで反転してなる小径収容部２ａＢが接触し得るようになっている。
そのため、コード２ａが抜去方向に引っ張られると、リブ４ｂ２〜４ｂ４は、外周面と内周面とにコード２ａが付勢接触すると共にコード２ａにより強く締め付けられて、外周面及び内周面とコード２ａの被覆表面との間に生じる摩擦力が極めて大きくなる。
この締め付けにより生じる摩擦力と上述の食い込みとによって、コード２ａの接続部２ａ１に力Ｆの影響を何ら与えることがなくコード２ａは強固に保持される。
【００４０】
摩擦力は、コード２ａが平型であることから、リブ４ｂ２〜４ｂ４との接触が丸型コードでの線接触ではなく、面接触となって顕著に大きい値で得られる。そのため、コード２ａの引っ張りに対する抜け防止強度が向上する。
【００４１】
また、ヘッドホン５１においては、コード２ａは、平型の長手がリブ４ｂ２〜４ｂ４の突出高さ方向となる姿勢でコード保持体ＣＨ内に収容されている。
従って、コード２ａとリブ４ｂ２〜４ｂ４との面接触における接触面積が、平型の短手をリブ４ｂ２〜４ｂ４の突出高さ方向とした場合に比べて遙かに大きくなる。この接触面積の拡大比率は、平型コードの縦横比に依存するが、一般的には２倍程度に大きくなる。
これにより、より大きな摩擦力が得られ、ヘッドホン５１は、コード２ａの引っ張りに対する抜け防止強度が極めて高いものとなっている。
また、コードの抜け止め構造として、コードにかしめリングを取り付け、筐体のコード孔を通過できない大径部を筐体内部に形成することで抜け止め構造とする周知の方法もあるが、この周知方法に対して、ヘッドホン５１のコード抜け防止構造は、部品点数を増加させることなく、抜け防止の効果が得られる。従って、かしめリングを使用する抜け止め構造よりも、コストダウンとなる。
また、かしめリングを用いた周知の抜け止め構造のように、組み立て時においてコードにかしめリングを直接取り付けるものではないので、仮に作業上不測の事態が生じても、コード内の配線の断線などが誘発される虞もない。
【００４２】
上述のように、リブ４ｂ２〜４ｂ４とコード２ａとの接触面積は、大きい方が望ましい。そのため、図８の模式的断面図で示されるように、リブ４ｂ２〜４ｂ４の高さＨ１がコード２ａの長手幅Ｗ１以上であることが最も望ましい。もちろん、長手幅Ｗ１以下でも本発明の効果を得ることができる。
一方で、リブ４ｂ２〜４ｂ４の高さＨ１が長手幅Ｗ１の概ね半分以下になると、コード２ａが引っ張られた際にリブ４ｂ４を乗り越えてしまう虞が生じるので、高さＨ１は、少なくとも長手幅Ｗ１の半分以上、すなわち、（Ｗ１）／２≦Ｈ１  であることが望ましい。
【００４３】
本発明のコードの抜け防止構造の実施例であるコード保持構造ＳＫ１において、コード保持体ＣＨは、図９に模式的に示されるように、少なくとも、コード保持体ＣＨに進入したコード２ａの「向きＤ１」が一方回り（図９では時計回り）に徐々に変化して「向きＤ２」となる第１の向き変更部ＭＨ１（大径収容部２ａＡが相当）を形成するためのガイド部Ｇ１（リブ４ｂ２〜４ｂ４が相当）と、コード２ａの「向きＤ２」が同じ回り（図９の時計回り）に急変化（反転）して「向きＤ２」とは概ね反対の「向きＤ３」となる第２の向き変更部ＭＨ２（反転部２ａＤが相当）を形成するためのガイド部Ｇ２（リブ４ｂ１が相当）と、を備えている。
詳しくは、ガイド部Ｇ１の外周面Ｇ１ａが、第１の向き変更部の内周面ＭＨ１ａをガイドし、ガイド部Ｇ１の端部Ｇ１ｂが、第２の向き変更部ＭＨ２の内周面ＭＨ２ａに当接してその折り返しの位置をガイドしている。
また、ガイド部Ｇ２は、第２の向き変更部ＭＨ２の周面ＭＨ２ｂに当接し、コード２ａがガイド部Ｇ１の端部Ｇ１ｂを回り込むようにして折り返すことで、ガイド部Ｇ１に沿った曲がり具合をガイドしている。
ここで、周面ＭＨ２ｂは、第１の向き変更部ＭＨ１の外周面ＭＨ１ｂから連続する面としてみれば外周面であるが、ガイド部Ｇ２により折り返してガイド部Ｇ１に沿った曲がり具合となることで、内周面となる。すなわち、コード２ａがガイド部Ｇ２にガイドされ第１の向き変更部ＭＨ１と同じ方向に曲がる円弧状となる場合は、周面ＭＨ２ｂは内周面となる。
また、コード２ａの外周面ＭＨ１ｂをガイドするガイド部Ｇ４（周壁部４ｈの内周面４ｈ３が相当）を設けておいてもよい。
【００４４】
ここで、「向きＤ２」は、「向きＤ１」に対して図８の時計回り方向に１８０°以上回転した向きであることが望ましい。また、「向きＤ３」は、「向きＤ２」に対して図８の時計回り方向に１２０°以上回転した向きであることが望ましい。
また、第１の向き変更部ＭＨ１の曲率（曲率１）に対し、第２の向き変更部ＭＨ２の曲率（曲率２）が大きくなっており、曲率２は、第２の向き変更部ＭＨ２を形成するためのガイド部Ｇ１の端部の幅Ｗ３が、コード２ａの短手幅Ｗ２以下とされて得られるものであることが望ましい。
図８において、ガイド部Ｇ１，Ｇ２は理解容易のためハッチング付きで示されている。
【００４５】
上述のコード保持構造ＳＫ１は、本体部１を形成するための筐体部材の一部にガイド部Ｇ１，Ｇ２を設けることで実現するので、コード保持のための専用部材を用いる必要がない。従って、コード保持構造ＳＫ１を備えたヘッドホン５１は、顕著なコストアップにならずに、強い力でコードが引っ張られた際のコード抜けやずれが生じ難くなっている。
また、例えば、本体部を耳介に装着するタイプのヘッドホンでは、その使用態様から、本体部が小型であることが求められ、デザイン的にも、本体部の形状において、耳介への装着状態で耳介から外方に向かう方向（奥行き方向）の寸法が短いことが要望される場合がある。
この要望に対応すべく、平型コードで、丸型コードの場合と同様にコード自体を結んだ結び玉を形成しヘッドホンの筐体からコードが抜けることを防止しようとしても、丸型コードの結び玉のような強固な結び玉を形成し難く、形成した結び玉も丸型コードの結び玉より顕著に大きいものになるので、要望を満たすことが容易ではない。そのため、結び玉を形成せずにコードの抜けを防止する構造が必要となる。
これに対し、実施例のコード保持構造ＳＫ１によれば、本体部内の奥行き方向において平型コードの抜け防止構造を配設するスペースが狭くても、部品点数を増加させることなく、確実に平型コードの抜けを防止できるので、要望を満たすことができる。
【００４６】
上述のように、ヘッドホン５１では、コード２ａが、スピーカユニット８の背面８ｂと対向する左ハウジング４の底部４ａ側に、二重となる部分を有するように巻かれた態様で収容されている。
従って、スピーカユニット８の背面８ｂと、右ハウジング３と、左ハウジング４の底部４ａ及び周壁部４ｈと、により囲まれて形成されるバックキャビティ（空間Ｖ１を含む空間）の体積に対し、バックキャビティ内でコード２ａが占める体積の割合は、極めて大きい。
ここで、コード２ａの被覆は、通常、ポリ塩化ビニル等の比較的軟らかい材料で形成されているので、被覆に接触した空気や剛体の振動を少なからず吸収する。
そのため、スピーカユニット８の音声出力時にその背面８ｂから伝播してきた空気振動や、スピーカユニット８本体から右ハウジング３を介して左ハウジング４に伝達してきた振動が、コード２ａによって吸収され抑制される。
従って、ヘッドホン５１は、コード２ａの被覆による振動抑制により、本体部１の不要な共振が抑えられ、高音質の音声出力が得られる。
【００４７】
また、組み立てられたヘッドホン５１は、コード保持体ＣＨにおいて、左ハウジング４の底部４ａからガイド部Ｇ１，Ｇ２を含むリブの集合体である群４ｂが立設すると共に、コード２ａが径方向に隣接するリブの間の隙間を埋めるように引き回されて収容されている。
そのため、コード保持体ＣＨの剛性は、リブ群４ｂ及びコード２ａが無いとした場合に比べて顕著に高くなっている。
従って、ヘッドホン５１は、スピーカユニット８の音声出力の際に、本体部１における不要な共振の発生が抑えられ、高音質の音声出力が得られる。
【００４８】
本発明の実施例は、上述した構成に限定されるものではなく、本発明の要旨を逸脱しない範囲において変形例としてもよい。
【００４９】
コード保持体ＣＨにおけるコード２ａの収容態様は、例えば、以下の変形例１〜５としてもよい。
（変形例１）
図１０（ａ）に示されるように、三つのリブ４ｂ２〜４ｂ４の替わりに、複数の柱状の突起部４ｋを並設してガイド部Ｇ１としてもよい。もちろん、柱状の突起部４ｋと弧状のリブとを組み合わせてガイド部Ｇ１としてもよい。
【００５０】
（変形例２）
図１０（ｂ）に示されるように、ガイド部Ｇ１に相当するガイド部Ｇ１Ａとガイド部Ｇ２を備え、さらに、ガイド部Ｇ１Ａの外側において、弧状にコード２ａを収容させるためのガイド部Ｇ３を設けてもよい。
この場合、コード２ａの向きをガイド部Ｇ１Ａの端部Ｇ１Ａｂを巻くように折り返して急反転させる第２の向き変更部ＭＨ２に対して根本（ブッシング２ｂ）側にある第１の向き変更部ＭＨ１が、一周以上、すなわち３６０°以上存在するようになる。
【００５１】
（変形例３）
図１０（ｃ）に示されるように、第１の向き変更部ＭＨ１を周方向１８０°未満で設けてもよい。この場合、コード２ａの抜け強度が、基本的に第１の向き変更部ＭＨ１が１８０°以上あるものに対して低くなるので、ヘッドホン５１が必要とする耐コード抜け強度に応じて採用するとよい。また、次に説明する変形例４の抵抗増強部ＴＺを併設して強度向上を図るとより良い。
【００５２】
（変形例４）
変形例４は、コード２ａが抜去方向に引っ張られたときに、コード２ａが付勢接触するリブ４ｂ２〜４ｂ４の外側面及び内側面に、抜去方向への抵抗を増すための抵抗増強部ＴＺを形成したものである。抵抗増強部ＴＺの例として、図１１には、周方向に凹凸となるよう形成された波状部４ｊが示されている。
【００５３】
（変形例５）
組み立て工程において、コード保持体ＣＨにコード２ａを収容した後、一度、コード２ａを抜去方向に所定の力で引っ張り、ガイド部Ｇ１，Ｇ２とコード２ａとを馴染ませた後に、コード２ａと、ガイド部Ｇ１，Ｇ２又は周壁部４ｈなどの左ハウジングとを接着（溶剤による溶着を含む）してもよい。
この接着（溶着）により、コード２ａの抜け防止強度と、ずれ防止強度とが向上する。
【００５４】
（変形例６）
ヘッドホン５１では、平型のコード２ａを、横断面形状における長手がスピーカユニット８の駆動軸線ＣＬ１に沿う方向となる姿勢でコード保持体ＣＨに収容するようになっている。
これにより、スピーカユニット８の背面８ｂ側のバックキャビティに、第１の向き変更部ＭＨ１をスピーカユニット８の外形から径の外方に張り出すことなく（又は顕著に張り出すことなく）形成してコード保持体ＣＨ内に収めることができる。
従って、本体部１のサイズが顕著に大型化することはない。
これに対し、コード２ａを、その長手が駆動軸線ＣＬ１に対して傾斜する方向、または駆動軸線ＣＬ１に直交する方向となる姿勢でコード保持体ＣＨに収容するように変形してもよい。ただし、この場合、第１の向き変更部ＭＨ１をスピーカユニット８の背面８ｂ側において外形から外方に張り出すことなく（又は顕著に張り出すことなく）形成することが難しい。
また、第１の変更部ＭＨ１が、駆動軸線ＣＬ１を含む面に沿って延在するようになるので、第１の変更部ＭＨ１を収容するコード保持体ＣＨは、スピーカユニット８から離れる方向（左方）に張り出して、奥行きの長い本体部１となりヘッドホン５１が大型化する。
従って、ヘッドホン５１の小型化の観点では、実施例のように、平型のコード２ａは、横断面形状における長手方向が駆動軸線ＣＬ１に沿う姿勢で設けられる方が望ましい。
【００５５】
（変形例７）
実施例のヘッドホン５１は、コード体２に基部２ｂ１と係合部２ｂ２とを、係合部２ｂ２側を小さく段差部２ｂ３（図２参照）を有するように形成し、係合部２ｂ２を本体部１のオーナメント５のブッシング保持部５ｂの貫通孔５ｂ１に挿入してコード体２を本体部１に取り付けるようになっている。
この構成により、コード２ａが予期せぬ力で押し込まれたときにも、段差部２ｂ３がブッシング保持部５ｂに当接してコード２ａが押し込み方向へ移動する（内部に入り込む）のを規制するようになっている。
これに対し、ヘッドホン５１を、コード体２に基部２ｂ１及び係合部２ｂ２を設けることなく、コード２ａのみを、そのまま筐体ＫＴ側に形成された内外を連通する貫通孔（貫通孔２ｂ１に相当）に通して内部に引き込む構造に変形してもよい。
【００５６】
この変形構造においては、リブ群４ｂの外周面と周壁部４ｈの内周面４ｈ３との間であるコード２ａが挿着される隙間の径方向の幅（Ｒ１−Ｒ２）を、挿着姿勢でのコード２ａの幅、すなわち実施例においては、横断面形状における短手幅Ｗ２に対して少ないクリアランスで形成しておくとよい。
この構造により、コード２ａが予期せぬ力で押し込まれたときにも、リブ群４ｂと周壁部４ｈとの間のコード２ａの遊びがほとんどないので、コード２ａが容易に押し込まれることはない。
【００５７】
また、リブ４ｂ５のように、コード２ａの反転部２ａＤと、リブ４ｂ４とは反対側で対向する壁部を設けるとよりよい。
リブ４ｂ５のような壁部を設けることで、仮に、押し込み力によってコード２ａが延在方向に沿って滑り移動してしまった場合でも、反転部２ａＤが壁部に当接してそれ以上の滑り移動が規制される。
【００５８】
（他の変形例）
第１の向き変更部ＭＨ１は、弧状になだらかに曲がるものに限定されない。明確な屈曲部位を有して向きが変えられるものであってもよい。
また、実施例としてヘッドホンを説明したが、本発明の平型コードの抜け防止構造は、ヘッドホンに限らず、筐体内部にスピーカユニット以外の電子部品又は電気部品を備え、コードは、一端側がその電子部品又は電気部品に接続され、他端側が筐体に設けられた貫通孔を通して外部に引き出されている装置であってもよい。
【００５９】
上述の各変形例は、実施例に対して適宜組み合わせて採用することができる。
【符号の説明】
【００６０】
１  本体部
２  コード体
２ａ  コード、    ２ａＡ  大径収容部、    ２ａＢ  小径収容部
２ａＣ  延出部、    ２ａＤ  反転部、    ２ａＥ  終端部
２ａ１  接続部、    ２ｂ  ブッシング、    ２ｂ１  基部
２ｂ２  係合部、２ｂ３  段差部
３  右ハウジング（筐体部材）、    ３ａ  音筒部
４  左ハウジング（筐体部材）
４ａ  底部、    ４ａ１  外側面、    ４ａ１ａ  凹部、    ４ｂ  リブ群
４ｂ１〜４ｂ５  リブ、    ４ｃ  外周面、    ４ｄ  係合凹部
４ｄ１  段部、    ４ｈ  周壁部、    ４ｈ１  部位、    ４ｈ２  窓部
４ｈ３  内周面、    ４ｊ  波状部、    ４ｋ  突起部
５  オーナメント（筐体部材）
５ａ  基部、    ５ｂ  ブッシング保持部、    ５ｂ１  貫通孔
５ｃ  内周面、    ５ｄ  係合凸部、    ５ｄ１，５ｄ２  凸部
６  カバー（筐体部材）
７  イヤピース
８  スピーカユニット
８ａ  振動板、    ８ｂ  背面、    ８ｃ  端子部、    ８ｄ  放音面
９  フィルタ
５１  ヘッドホン
Ｃ  原点
ＣＨ  コード保持体
ＣＬ１  駆動軸線（中心軸線）、    ＣＬ２  中心軸線
Ｄ１〜Ｄ４，Ｄ１２  向き、    ＤＲ１〜ＤＲ４，ＤＲ１２延在方向（方向）
Ｆ  力
Ｇ１〜Ｇ４，Ｇ１Ａ  ガイド部
Ｇ１ａ  外周面、    Ｇ１ｂ，Ｇ１Ａｂ  端部
Ｈ１  高さ
ＫＴ  筐体
ＭＨ１  第１の向き変更部、    ＭＨ１ａ  内周面、    ＭＨ１ｂ  外周面
ＭＨ２  第２の向き変更部、    ＭＨ２ａ  内周面、    ＭＨ２ｂ  周面（内周面）
Ｐ１〜Ｐ６，Ｐ１２  位置、    Ｒ１〜Ｒ３  半径
ＳＫ１  コード保持構造（コードの抜け防止構造）
ＴＺ  抵抗増強部、    Ｖ１  空間
Ｗ１  長手幅、Ｗ２  短手幅、    Ｗ３  幅
θ１，θ２  角度範囲、    θｓ１  所定の角度
【図１】
2014093709.tif 000003
【図２】
2014093709.tif 000004
【図３】
2014093709.tif 000005
【図４】
2014093709.tif 000006
【図５】
2014093709.tif 000007
【図６】
2014093709.tif 000008
【図７】
2014093709.tif 000009
【図８】
2014093709.tif 000010
【図９】
2014093709.tif 000011
【図１０】
2014093709.tif 000012
【図１１】
2014093709.tif 000013